(57)【要約】      （修正有）【課題】従来の靴ベラと同様にしてベルトに固定して体裁よく携行できると共に、固定具が邪魔せずに把持しやすいベルト固定用靴ベラを提供する。【解決手段】スラックス用ベルト１４の内側面部１５に着脱可能に固定される靴ベラ１０であって、ベルト本体１６の長さ方向に沿って配置できるように細長板状に形成され、一端部（長さ方向端部２３）はベルト本体１６に設けられた挿入部（ループ部２２）に挿入係止されると共に、他端部（長さ方向端部１２）にはベルト本体１６のバックル取付部１７の内側面部１８に設けられた係止部（係止凸部１９）に係合固定される係合部（係合孔部）が設けられていることを特徴とするベルト固定用靴ベラ（靴ベラ１０）である。【選択図】図１
0003186628.tif 000002
【実用新案登録請求の範囲】
【請求項１】
スラックス用ベルトの内側面部に着脱可能に固定される靴ベラであって、ベルト本体の長さ方向に沿って配置できるように細長板状に形成され、一端部は上記ベルト本体に設けられた挿入部に挿入係止されると共に、他端部には上記ベルト本体のバックル取付部の内側面部に設けられた係止部に係合固定される係合部が設けられていることを特徴とするベルト固定用靴ベラ。
【請求項２】
上記係止部は係止凸部であると共に、上記係合部は係合孔部であることを特徴とする請求項１に記載のベルト固定用靴ベラ。
【請求項３】
上記挿入部は、上記ベルト本体に装着された上記ベルト本体の先端部を挿通固定するループ部であることを特徴とする請求項１に記載のベルト固定用靴ベラ。
【請求項４】
上記係止凸部には、上記係止凸部が上記係合孔部に挿通された場合に、上記係合孔部から突出する部位を被覆する被覆部が被覆されることを特徴とする請求項２に記載のベルト固定用靴ベラ。
【考案の詳細な説明】
【技術分野】
【０００１】
本考案は、ベルト固定用靴ベラに関するものである。
【背景技術】
【０００２】
従来の携帯用の靴ベラは、小型タイプのものや折畳みタイプのものが主流であったが、これらの靴ベラは、スーツのポケットやカバンに入れて持ち歩く必要があるため、収容場所が分からなくなって紛失することが多いという問題があり、また、折畳みタイプは小さいわりに嵩張るので、携行には非常に不便であった。
【０００３】
そこで、特許文献１に記載の靴ベラのように、ベルトに固定できるように靴ベラ本体に固定部（特許文献１の「保持片６」に相当）を設けたものが提案されている。
【０００４】
しかしながら、特許文献１に記載の靴ベラは、靴ベラ本体に固定部が固着されたものであるため、当該靴ベラを使用する場合に固定部が掌に当たって掴みにくく、靴ベラ本体を把持しにくいという問題があった。
【特許文献１】実公昭４０−９１６６号公報
【考案の開示】
【考案が解決しようとする課題】
【０００５】
本考案は、上記従来技術の有する問題点に鑑みなされたものであり、その目的とするところは、従来の靴ベラと同様にしてベルトに固定して体裁よく携行できると共に、固定具が邪魔せずに把持しやすいベルト固定用靴ベラを提供することにある。
【課題を解決するための手段】
【０００６】
本考案の上記課題は、下記の手段によって達成される。
【０００７】
請求項１に記載の考案に係るベルト固定用靴ベラは、スラックス用ベルトの内側面部に着脱可能に固定される靴ベラであって、ベルト本体の長さ方向に沿って配置できるように細長板状に形成され、一端部は上記ベルト本体に設けられた挿入部に挿入係止されると共に、他端部には上記ベルト本体のバックル取付部の内側面部に設けられた係止部に係合固定される係合部が設けられていることを特徴とする。
【０００８】
従って、本考案に係るベルト固定用靴ベラは、ベルト本体の長さ方向に沿って配置できるように細長板状に形成され、一端部は上記ベルト本体に設けられた挿入部に挿入係止されると共に、他端部には上記ベルト本体のバックル取付部の内側面部に設けられた係止部に係合固定される係合部が設けられていることから、上記スラックス用ベルトの内側面部に、上記ベルト固定用靴ベラを着脱可能に固定することができる。
【０００９】
請求項２に記載の考案に係るベルト固定用靴ベラは、上記係止部は係止凸部であると共に、上記係合部は係合孔部であることを特徴とする。
【００１０】
従って、本考案に係るベルト固定用靴ベラは、上記係止部が係止凸部であると共に、上記係合部が係合孔部であることにより、表裏両面に突起物と成り得るものが存在しない。
【００１１】
請求項３に記載の考案に係るベルト固定用靴ベラは、上記挿入部は、上記ベルト本体に装着された上記ベルト本体の先端部を挿通固定するループ部であることを特徴とする。
【００１２】
従って、本考案に係るベルト固定用靴ベラは、上記挿入部が、上記ベルト本体に装着された上記ベルト本体の先端部を挿通固定するループ部であることにより、上記スラックス用ベルトの内側面部に、上記ベルト固定用靴ベラを固定して保持することができる。
【００１３】
請求項４に記載の考案に係るベルト固定用靴ベラは、上記係止凸部には、上記係止凸部が上記係合孔部に挿通された場合に、上記係合孔部から突出する部位を被覆する被覆部が被覆されることを特徴とする。
【００１４】
従って、本考案に係るベルト固定用靴ベラは、上記係止凸部には、上記係止凸部が上記係合孔部に挿通された場合に、上記係合孔部から突出する部位を被覆する被覆部が被覆されることにより、上記係止凸部が上記スラックス用ベルトを装着した利用者の身体に直接当接することを防ぐことができる。
【考案の効果】
【００１５】
請求項１に記載の考案にあっては、ベルト本体の長さ方向に沿って配置できるように細長板状に形成され、一端部は上記ベルト本体に設けられた挿入部に挿入係止されると共に、他端部には上記ベルト本体のバックル取付部の内側面部に設けられた係止部に係合固定される係合部が設けられていることから、上記スラックス用ベルトの内側面部に、上記ベルト固定用靴ベラを着脱可能に固定することができるので、上記スラックス用ベルトの裏面側に上記靴ベラを隠した状態で外方からは見えないように保持できると共に、衣服のポケットやカバンに入れて持ち歩く必要がないため保持しやすく、使用時には迅速に準備することができる。
【００１６】
請求項２に記載の考案にあっては、上記係止部が係止凸部であると共に、上記係合部が係合孔部であることにより、表裏両面に突起物と成り得るものが存在しないので、収納時には上記スラックス用ベルトの装着の邪魔になることはない。
【００１７】
請求項３に記載の考案にあっては、上記挿入部が、上記ベルト本体に装着された上記ベルト本体の先端部を挿通固定するループ部であることにより、上記スラックス用ベルトの内側面部に、上記ベルト固定用靴ベラを固定して保持することができるので、上記ベルト固定用靴ベラの脱落を防止することができる。
【００１８】
請求項４に記載の考案にあっては、上記係止凸部には、上記係止凸部が上記係合孔部に挿通された場合に、上記係合孔部から突出する部位を被覆する被覆部が被覆されることにより、上記係止凸部が上記スラックス用ベルトを装着した利用者の身体に直接当接することを防ぐことができるので、上記ベルト固定用靴ベラを固定した上記スラックス用ベルトを装着しても、不快感を覚えることなく日常生活を送ることができる。
【図面の簡単な説明】
【００１９】
【図１】本考案に係るベルト固定用靴ベラの一実施の形態を示す斜視図である。
【図２】本考案に係るベルト固定用靴ベラの一実施の形態を示す側面図である。
【図３】本考案に係るベルト固定用靴ベラの他の実施の形態を示す側面図である。
【考案を実施するための最良の形態】
【００２０】
以下、本考案に係るベルト固定用靴ベラを実施の形態に基づき、図面を参照して詳細に説明する。なお、本考案のベルト固定用靴ベラは、以下の実施形態に限定されるものではなく、本考案の要旨を逸脱しない範囲内において種々変更を加え得ることは可能である。
【００２１】
まず、本考案に係るベルト固定用靴ベラの実施形態について説明する。
【００２２】
図１及び図２に示すように、本実施形態にかかる靴ベラ１０は、ベルト本体１６の長さ方向に沿って配置できるように細長板状に形成され、可撓性を有する靴ベラ本体１１と、靴ベラ本体１１の長さ方向端部１２側の幅方向略中央部に靴ベラ本体１１の厚さ方向に貫通して設けられ、平面略円形状に形成された係合孔部１３とを備えており、スラックス用ベルト１４の内側面部１５に着脱可能に固定して体裁よく携行できるように構成されている。
【００２３】
図１及び図２に示すように、スラックス用ベルト１４は、細長板状に形成され、可撓性を有するベルト本体１６と、ベルト本体１６をスラックス（図示せず）に固定するためのバックル部３４と、ベルト本体１６の先端部２１を通して余剰部分を保持するためのループ部２２とを備えている。
【００２４】
図１及び図２に示すように、バックル部３４は、ベルト本体１６の長さ方向端部３５に設けられたバックル取付部１７を介してベルト本体１６に取り付けられており、バックル取付部１７の内側面部１８の略中央部には、ベルト本体１６に靴ベラ１０を固定して保持するための係止凸部１９が設けられている。
【００２５】
図１及び図２に示すように、係止凸部１９は、薄型円盤状に形成された基台部３６の略中央部に、先端部に略球状に形成された突出部２０を備えた棒状の支持部３７が固設されてなり、これにより、係合孔部１３を突出部２０に挿通すると共に、靴ベラ１０の長さ方向端部２３をループ部２２に通すことで、ベルト本体１６に靴ベラ１０を固定して保持することができるようになっている。
【００２６】
次に、本実施形態にかかる靴ベラ１０の使用方法について説明する。
【００２７】
まず、靴ベラ本体１１の係合孔部１３を、バックル取付部１７の係止凸部１９の突出部２０に挿通し、スラックス用ベルト１４のループ部２２に、靴ベラ本体１１の長さ方向端部２３を挿通し、図１に示すように、スラックス用ベルト１４の内側面部１５に靴ベラ１０を完全に固定する。
【００２８】
その結果、スラックス用ベルト１４の内側面部１５に、靴ベラ１０を着脱可能に固定することができるので、上記スラックス用ベルトの裏面側に上記靴ベラを隠した状態で外方からは見えないように保持できると共に、衣服のポケットやカバンに入れて持ち歩く必要がないため保持しやすく、使用時には迅速に準備することができる。
【００２９】
また、本実施形態にかかる靴ベラ１０は、スラックス用ベルト１４の内側面部１５に、靴ベラ１０を固定して保持することができるので、靴ベラ１０の脱落を防止することができる。
【００３０】
また、本実施形態にかかる靴ベラ１０にあっては、表裏両面に突起物と成り得るものが存在しないので、利用時に靴ベラ１０の長さ方向端部１２を把持しやすく、容易に靴を履くことができる。
【００３１】
なお、本実施形態に係るベルト固定用靴ベラにおいては、スラックス用ベルトの内側面部に着脱可能にベルト固定用靴ベラを固定するために、図１及び図２に示すように、スラックス用ベルト１４に設けられた係止凸部１９の突出部２０に挿通するための係合孔部１３が靴ベラ本体１１に設けられた構成を例に挙げて説明したが、利用者の要望やベルトの種類等に合わせて、例えば、スナップボタン（点ファスナー）や面ファスナー等のベルト固定用部材に適宜変更することが可能である。
【００３２】
また、本実施形態に係るベルト固定用靴ベラにおいては、図３に示すように、スラックス用ベルト２４の内側面部２５に設けられたバックル取付部２６の内側面部２７の略中央部に固設された係止凸部２８が、靴ベラ本体２９の長さ方向端部３０側に設けられた係合孔部３１に挿通された場合に、係止凸部２８から突出する突出部（図示せず）を被覆する被覆部３２が設けられてもよい。
【００３３】
その結果、係止凸部２８がスラックス用ベルト２４を装着した利用者の身体に直接当接することを防ぐことができるので、靴ベラ３３を固定したスラックス用ベルト２４を装着しても、不快感を覚えることなく日常生活を送ることができる。
【産業上の利用可能性】
【００３４】
本考案に係るベルト固定用靴ベラは、従来の靴ベラと同様にしてベルトに固定して体裁よく携行できると共に、固定具が邪魔せずに把持しやすいので、ベルト固定用靴ベラとして極めて有用であることから、産業上の利用可能性を有している。
【符号の説明】
【００３５】
１０・・・靴ベラ
１１・・・靴ベラ本体
１２・・・長さ方向端部
１３・・・係合孔部
１４・・・スラックス用ベルト
１５・・・内側面部
１６・・・ベルト本体
１７・・・バックル取付部
１８・・・内側面部
１９・・・係止凸部
２０・・・突出部
２１・・・先端部
２２・・・ループ部
２３・・・長さ方向端部
２４・・・スラックス用ベルト
２５・・・内側面部
２６・・・バックル取付部
２７・・・内側面部
２８・・・係止凸部
２９・・・靴ベラ本体
３０・・・長さ方向端部
３１・・・係合孔部
３２・・・被覆部
３３・・・靴ベラ
３４・・・バックル部
３５・・・長さ方向端部
３６・・・基台部
３７・・・支持部
【図１】
0003186628.tif 000003
【図２】
0003186628.tif 000004
【図３】
0003186628.tif 000005